(57)【要約】【課題】部品の共通化によるコスト削減を行うことができるスイッチモジュールを提供すること。【解決手段】２以上の固定端子１０ａと、操作部３０による移動操作によって隣り合う固定端子１０ａを可動端子５０によって接続させる端子保持可動部４０とを有してなるスイッチモジュール１において、端子保持可動部４０は、少なくとも下部４２ａに摺動または揺動可能に支持される曲面形状部４２ｂが形成された棒状をなし、板状基部４１の両表面４１ａから、略一直線上に並ぶように互いに逆方向に向けて突設され、あるいは板状基部４１に直交するように貫通され、ハウジング１２０によってスライド可能、あるいは揺動可能に支持される棒状被支持部４２と、板状基部４１の上部４１ｂに設けられ、操作部３０が着脱自在に取り付けされる取付部４３と、板状基部４１の下部４１ｃに設けられ、可動端子５０が保持される端子保持部４４とを有してなる。【選択図】図４
2013101824.tif 000002
【特許請求の範囲】
【請求項１】
ハウジング内に水平方向に並設された２以上の固定端子と、可動端子が保持され、操作部による移動操作によって隣り合う固定端子を前記可動端子によって接続させる端子保持可動部とを有してなるスイッチモジュールにおいて、
前記端子保持可動部は、
少なくとも下部に摺動または揺動可能に支持される曲面形状部が形成された棒状をなし、板状をなす板状基部の両表面から、略一直線上に並ぶように互いに逆方向に向けて突設され、あるいは前記板状基部に直交するように貫通され、前記ハウジングによってスライド可能、あるいは揺動可能に支持される棒状被支持部と、
前記板状基部の上部に設けられ前記操作部が着脱自在に取り付けされる取付部と、
前記板状基部の下部に設けられ、前記可動端子が保持される端子保持部と、
を有してなることを特徴とするスイッチモジュール。
【請求項２】
前記可動端子は、
前記固定端子と接続される接続面が形成されてなる板状の板状部を有してなり、
前記端子保持部は、
略箱型形状をなし、水平方向かつ前記固定端子の並び方向に直交する方向で向かい合う壁のうち前記固定端子に近い側の壁に前記接続面が露出された状態で前記可動端子が保持され、前記固定端子に遠い側の壁に球体が出没可能な開口が形成され、前記接続面の裏面から前記開口に向けて、弾性体および前記球体が順に配置されていることを特徴とする請求項１に記載のスイッチモジュール。
【請求項３】
前記操作部は、
前記ハウジングによってスライド可能に支持されることを特徴とする請求項１または２に記載のスイッチモジュール。
【請求項４】
前記固定端子は、
前記可動端子に接続される接続面の縁周りが滑らかな曲面形状に形成されつつ膨らみ出る形状に形成されていることを特徴とする請求項１、２または３に記載のスイッチモジュール。
【発明の詳細な説明】
【技術分野】
【０００１】
本発明は、ハウジング内に水平方向に並設された２以上の固定端子と、操作部による移動操作によって隣り合う固定端子を接続させる可動端子とを有してなるスイッチモジュールに関する。
【背景技術】
【０００２】
従来、照明装置等のスイッチに用いられるスイッチモジュールとして、ハウジング内に水平方向に並設された２以上の固定端子と、操作部による移動操作によって隣り合う固定端子を接続させる可動端子とを有してなるものがある。例えば、特許文献１には、スイッチモジュールが組み込まれた車両用照明灯が提案されている。
【０００３】
この特許文献１に記載されたスイッチモジュールは、係止手段が、スイッチノブ（操作部）との間でスイッチユニットを挟持する係止部材を有している。
【先行技術文献】
【特許文献】
【０００４】
【特許文献１】特開２００６−２１６７０号公報
【発明の概要】
【発明が解決しようとする課題】
【０００５】
ところで、スイッチモジュールは、例えば、可動端子をスライド移動させるもの、あるいは可動端子を揺動させるものがある。
【０００６】
しかしながら、特許文献１に記載されたスイッチモジュールは、可動端子が保持される部分となる端子保持可動部が可動端子を揺動させるようになっていないため、より具体的には、可動端子を揺動させるものにスライド移動されるスイッチレバー等を用いることができないため、可動端子をスライド移動させるものと揺動させるものとで部品を共通化することが難しく、結果的に部品の共通化によるコスト削減を行うことが難しいという問題があった。
【０００７】
本発明は、上記に鑑みてなされたものであって、部品の共通化によるコスト削減を行うことができるスイッチモジュールを提供することを目的とする。
【課題を解決するための手段】
【０００８】
上述した課題を解決し、目的を達成するために、本発明の請求項１にかかるスイッチモジュールは、ハウジング内に水平方向に並設された２以上の固定端子と、可動端子が保持され、操作部による移動操作によって隣り合う固定端子を前記可動端子によって接続させる端子保持可動部とを有してなるスイッチモジュールにおいて、前記端子保持可動部は、少なくとも下部に摺動または揺動可能に支持される曲面形状部が形成された棒状をなし、板状をなす板状基部の両表面から、略一直線上に並ぶように互いに逆方向に向けて突設され、あるいは前記板状基部に直交するように貫通され、前記ハウジングによってスライド可能、あるいは揺動可能に支持される棒状被支持部と、前記板状基部の上部に設けられ前記操作部が着脱自在に取り付けされる取付部と、前記板状基部の下部に設けられ、前記可動端子が保持される端子保持部と、を有してなることを特徴とする。
【０００９】
また、本発明の請求項２にかかるスイッチモジュールは、上記の発明において、前記可動端子は、前記固定端子と接続される接続面が形成されてなる板状の板状部を有してなり、前記端子保持部は、略箱型形状をなし、水平方向かつ前記固定端子の並び方向に直交する方向で向かい合う壁のうち前記固定端子に近い側の壁に前記接続面が露出された状態で前記可動端子が保持され、前記固定端子に遠い側の壁に球体が出没可能な開口が形成され、前記接続面の裏面から前記開口に向けて、弾性体および前記球体が順に配置されていることを特徴とすることを特徴とする。
【００１０】
また、本発明の請求項３にかかるスイッチモジュールは、上記の発明において、前記操作部は、前記ハウジングによってスライド可能に支持されることを特徴とする。
【００１１】
また、本発明の請求項４にかかるスイッチモジュールは、上記の発明において、前記固定端子は、前記可動端子に接続される接続面の縁周りが滑らかな曲面形状に形成されつつ膨らみ出る形状に形成されていることを特徴とする。
【発明の効果】
【００１２】
本発明の請求項１にかかるスイッチモジュールは、前記可動端子をスライドさせることで固定端子の接続を切り替えるものと、前記可動端子を揺動させることで、前記固定端子の接続を切り替えるものとに前記端子保持可動部を用いることによって、前記端子保持可動部および前記固定端子を共通部品として用いることができるので、結果的に部品の共通化によるコスト削減を行うことができる。
【００１３】
本発明の請求項２にかかるスイッチモジュールは、上述した請求項１と同様の効果を奏するとともに、前記可動端子が前記固定端子と接続される接続面が形成されてなる板状の板状部を有してなり、前記端子保持部が略箱型形状をなし、水平方向かつ前記固定端子の並び方向に直交する方向で向かい合う壁のうち前記固定端子に近い側の壁に前記接続面が露出された状態で前記可動端子が保持され、前記固定端子に遠い側の壁に球体が出没可能な開口が形成され、前記接続面の裏面から前記開口に向けて、弾性体および前記球体が順に配置されているので、前記球体が前記ハウジングに形成された位置決め凹部に嵌ることによって、前記可動端子が前記固定端子との接続位置で確実に位置決めされるようになっている。しかも、前記球体が前記ハウジングに形成された位置決め凹部に嵌るように突出されるので、スイッチの切り替えフィーリングを得ることができる。
【００１４】
本発明の請求項３にかかるスイッチモジュールは、上述した請求項１と同様の効果を奏するとともに、前記操作部が前記ハウジングによってスライド可能に支持されるので、前記端子保持可動部をスライド方向により安定して移動させることができる。
【００１５】
本発明の請求項４にかかるスイッチモジュールは、上述した請求項１と同様の効果を奏するとともに、前記可動端子に接続される前記固定端子の接続面の縁周りが滑らかな曲面形状に形成されつつ膨らみ出る形状に形成されているので、前記可動端子がスライド移動あるいは揺動される際、前記可動端子と前記固定端子とを滑らかに当接させることができる。
【図面の簡単な説明】
【００１６】
【図１】図１は、本発明の実施例に係るスイッチモジュールを含む照明ユニットの分解斜視図である。
【図２】図２は、図１に示した照明ユニットを斜め下方から視た斜視図である。
【図３】図３は、図１に示した照明ユニットの上面図である。
【図４】図４は、図３に示した照明ユニットのＡ−Ａ線断面図である。
【図５】図５は、図１に示した照明ユニットのハウジング収容部内を説明するための図である。
【図６】図６は、図５に示した照明ユニットの可動部周辺を拡大した図である。
【図７】図７は、図１に示した可動部および固定端子用バスバーの拡大斜視図である。
【図８】図８は、図１に示した固定端子用バスバーの拡大斜視図である。
【図９】図９は、図８に示した固定端子用バスバーを接触面の裏面側から視た斜視図である。
【図１０】図１０は、図１に示した端子保持可動部を可動端子の接触面側から視た拡大斜視図である。
【図１１】図１１は、図１に示した端子保持可動部を球体側から視た拡大斜視図である。
【図１２】図１２は、図１に示した照明ユニットの回路図である。
【図１３】図１３は、操作者によって、可動部がスライド操作されることを説明するための図である。
【図１４】図１４は、端子保持可動部が可動端子を揺動させるものに用いられる場合のスイッチモジュールを含む照明ユニットの上面図である。
【図１５】図１５は、図１４に示した照明ユニットのＢ−Ｂ線断面図である。
【図１６】図１６は、図１４に示した照明ユニットのＣ−Ｃ線断面図である。
【図１７】図１７は、図１６に示した照明ユニットのＤ−Ｄ線断面図である。
【図１８】図１８は、図１７に示した可動部および固定端子用バスバーの拡大斜視図である。
【図１９】図１９は、操作者によって、可動部が揺動操作されることを説明するための図である。
【図２０】図２０は、図１に示した端子保持可動部の変形例を示した図である。
【図２１】図２１は、図１に示した端子保持可動部の変形例を示した図である。
【００１７】
以下、図面を参照して、本発明に係るスイッチモジュールの好適な実施の形態を詳細に説明する。
【実施例】
【００１８】
図１は、本発明の実施例に係るスイッチモジュール１を含む照明ユニットの分解斜視図である。図２は、図１に示した照明ユニット１００を斜め下方から視た斜視図である。図３は、図１に示した照明ユニット１００の上面図である。図４は、図３に示した照明ユニット１００のＡ−Ａ線断面図である。図５は、図１に示した照明ユニット１００のハウジング収容部１２１内を説明するための図である。図６は、図５に示した照明ユニット１００の可動部２０周辺を拡大した図である。図７は、図１に示した可動部２０および固定端子用バスバー１０の拡大斜視図である。図８は、図１に示した固定端子用バスバー１０の拡大斜視図である。図９は、図８に示した固定端子用バスバー１０を接触面１０ｂの裏面側から視た斜視図である。図１０は、図１に示した端子保持可動部４０を可動端子５０の接触面５１ａ側から視た拡大斜視図である。図１１は、図１に示した端子保持可動部４０を球体４６側から視た拡大斜視図である。図１２は、図１に示した照明ユニット１００の回路図である。図１３は、操作者によって、可動部２０がスライド操作されることを説明するための図である。
なお、便宜上、図中の互いに直交する矢印方向を前後上下左右方向とする。
【００１９】
本発明の実施例に係るスイッチモジュール１は、照明ユニット１００に含まれるものを例示する。
照明ユニット１００は、図１に示すように、光源としてのバルブ１１０と、ハウジング１２０内に水平方向に並設された３つの固定端子１０ａおよび操作部による移動操作によって隣り合う固定端子１０ａを接続させる可動端子５０を有してなるスイッチモジュール１と、スイッチモジュール１が収容されるハウジング１２０と、ハウジング１２０の上部開口を塞ぐレンズ１３０と、コネクタ部１４０とを有してなる。
この照明ユニット１００は、コネクタ部１４０を介して外部から電力が供給され、この外部から供給された電力のバルブ１１０への供給および遮断がスイッチモジュール１を介して行われるようになっている。
なお、本発明の実施例に係るスイッチモジュール１の後述する端子保持可動部４０は、可動端子５０をスライドさせる構成、および可動端子５０を揺動させる構成の両方の構成に適用できるものである。
まず、可動端子５０をスライドさせる構成のスイッチモジュール１を含む照明ユニット１００について説明する。
【００２０】
まず、バルブ１１０について説明する。
バルブ１１０は、光源となるものであり、舟形バルブ等が用いられる。このバルブ１１０の両電極は、一対のバルブ電極接続用バスバー１１１（以下、第一のバルブ電極接続用バスバー１１２、第二のバルブ電極接続用バスバー１１３という。）によって電気的に接続されようになっている。
【００２１】
次に、スイッチモジュール１について説明する。
スイッチモジュール１は、電気的な接続がなされる部分であり、３つの固定端子用バスバー１０と、可動部２０とを有してなる。
【００２２】
各固定端子用バスバー１０（以下、第一の固定端子用バスバー１１、第二の固定端子用バスバー１２、および第三の固定端子用バスバー１３という。）は、バルブ１１０の点灯消灯の切り替えのための可動端子５０と接続される固定端子１０ａ（以下、第一の固定端子１１ａ、第二の固定端子１２ａ、第三の固定端子１３ａという。）を有してなる。
【００２３】
第一の固定端子用バスバー１１は、電線Ｗを介して後述する第二の雄型端子１５２に接続され、電気的に接続されることなく非導通となる。
第二の固定端子用バスバー１２は、電線Ｗを介して第一のバルブ電極接続用バスバー１１１ａに接続されるようになっている。
第三の固定端子用バスバー１３は、電線Ｗを介して後述する第三の雄型端子１５３に接続され、第三の雄型端子１５３を介して接地されるようになっている。
また、各固定端子用バスバー１０は、圧接端子１０ｅを介して電線Ｗに接続され、固定用突出刃１０ｆを介してハウジング１２０の底壁１２０ａに固定されるようになっている。
【００２４】
また、各固定端子１０ａは、図８および図９に示すように、可動端子５０と接続される面である接続面１０ｂの縁周りが滑らかな曲面形状に形成されつつ、膨らみ出るように形成されている。このため、可動端子５０がスライド移動、あるいは揺動される際、可動端子５０の接続面５１ａと固定端子１０ａの接続面１０ｂとが滑らかに当接されるようになっている。
【００２５】
可動部２０は、固定端子１０ａに対して相対的に移動される部分であり、図７に示すように、操作部３０よび端子保持可動部４０を有してなる。
操作部３０は、スイッチング操作のため、可動端子５０を左右方向（以下、スライド方向という。）にスライドさせるための操作部分である。この操作部３０は、略角柱状の柱状基部３１とカバー部３２とを有してなる。
柱状基部３１は、上部がレンズ１３０の後述するスイッチ開口部１３１から外部に露出され、操作者が摘まんで操作するための摘まみ操作部として機能する。また、柱状基部３１の下部は、端子保持可動部４０の上部と嵌合される嵌合部３１ａとなっている。この嵌合部３１ａは、端子保持可動部４０の上部が嵌入されるように開口が外形矩形状に形成された凹形状をなしている。
【００２６】
カバー部３２は、スイッチ開口部１３１を塞ぐカバーとして機能するものである。このカバー部３２は、柱状基部３１の側部外周３１ｂに沿って設けられ、操作部３０のスライド方向を長手方向とするように外形矩形状に形成されてなるカバーである。このようなカバー部３２を設けることによって、操作部３０がスライドされた場合でも、スイッチ開口部の開口が塞がれた状態にすることができるようになっている。
【００２７】
このような操作部３０は、柱状基部３１の前後方向の幅が、スイッチ開口部１３１の前後方向の幅に比して僅かに小さく設定されている。また、図４に示すように、カバー部３２の下端縁面３２ａが後述するガイド壁部１２２の上端縁面に当接されるようになっている。このため、操作部３０は、ハウジング１２０によってスライド可能に支持されるようになっている。
【００２８】
端子保持可動部４０は、摺動または揺動可能に支持される曲面形状部４２ｂが形成された棒状をなし、板状をなす板状基部４１の両表面４１ａから、略一直線上に並ぶように互いに逆方向に向けて突設され、ハウジング１２０によってスライド可能、あるいは揺動可能に支持される棒状被支持部４２と、板状基部４１の上部４１ｂに設けられ操作部３０が着脱自在に取り付けされる取付部４３と、板状基部４１の下部４１ｃに設けられ、可動端子５０が保持される端子保持部４４とを有してなる。
【００２９】
各棒状被支持部４２は、より具体的には、円柱状をなし、後述する一対のガイド壁部１２２の各ガイド壁部１２２に形成されたガイド開口部１２２ａに挿通されるようになっている。これによって、端子保持可動部４０がスライド方向にガイドされるようになっている。
【００３０】
取付部４３は、操作部３０が取り付けされる部分である。より具体的には、取付部４３は、板状基部４１の上部４１ｂに形成され、操作部３０の嵌合部３１ａに嵌入される部分である。このような取付部４３を介して、操作部３０が端子保持可動部４０に着脱自在に取り付けられるようになっている。すなわち、端子保持可動部４０は、操作部３０が容易に付け替えできるようになっている。このため、可動端子５０を揺動させる構成に端子保持可動部４０が適用される場合、操作部３０を後述する操作部７０に容易に付け替えることができる。
【００３１】
端子保持部４４は、略箱型形状をなし、水平方向かつ固定端子１０ａの並び方向に直交する方向（前後方向）で向かい合う壁のうち固定端子１０ａに近い側の壁４４ａに固定端子１０ａと接続される接続面５１ａが露出された状態で可動端子５０が保持される部分である。また、端子保持部４４は、固定端子１０ａに遠い側の壁４４ｂに球体４６が出没可能な開口４４ｃが形成されている。
【００３２】
可動端子５０は、図１に示すように、接続面５１ａが形成されてなる板状の板状部５１を有してなり、接続面５１ａの裏面から開口４４ｃに向けて、弾性体としてのスプリングバネ４５、および球体４６が順に配置されている。このため、スプリングバネ４５の弾性力によって、可動端子５０および球体４６のそれぞれには、端子保持部４４の外部に向けて付勢力がかかるようになっている。
【００３３】
また、球体４６が、図６に示すように、後述するガイド壁部１２２に形成された位置決め凹部１２２ｃに嵌るようになっているので、可動端子５０が固定端子１０ａとの接続位置で確実に位置決めされるようになっている。しかも、球体４６が位置決め凹部１２２ｃに位置されると、凹部に嵌るように突出されるので、スイッチの切り替えフィーリングを得ることができるようになっている。
なお、可動端子５０および球体４６はスプリングバネ４５によって端子保持部４４の外部に向けて付勢力がかかるようになっているものを例示したが、これに限らず、可動端子５０を屈曲させることによって、同様な付勢力が得られるようにしてもよい。
【００３４】
次に、ハウジング１２０について説明する。
ハウジング１２０は、絶縁性の材料からなる容器であり内部に形成されたハウジング収容部１２１に、バルブ１１０、およびスイッチモジュール１が収容されるようになっている。
より具体的には、ハウジング１２０は、矩形状の底壁１２０ａと、底壁１２０ａの縁に沿って立設された周側壁１２０ｂからなり、上部開口部１２０ｃが形成された箱型形状をなしている。
【００３５】
また、ハウジング収容部１２１には、図４および図５に示すように、内部を仕切るように一対のガイド壁部１２２が設けられている。この一対のガイド壁部１２２は、その間に可動部２０が配置できるように間隔を空けて向かい合って設けられ、可動部２０のスライド方向への移動をガイドする機能を有するとともに、位置決め機能を有するようになっている。より具体的には、一対のガイド壁部１２２の各ガイド壁部１２２には、互いに向かい合う位置に棒状被支持部４２のスライド方向での移動をガイドするガイド開口部１２２ａが形成されている。
ガイド開口部１２２ａは、スライド方向を長手方向とする長方形状の開口であり、上下方向の幅が棒状被支持部４２の直径よりも僅かに大きく設定されている。このため、棒状被支持部４２はガイド開口部１２２ａに挿通されることによって、ガイド方向に安定して摺動されるようになっている。
【００３６】
また、前側のガイド壁部１２２には、可動端子５０が２つの固定端子１０ａを接続させる接続位置での位置決め機能を有する位置決め凹部１２２ｃが形成されている。
また、ハウジング１２０の底壁１２０ａには、一対のバルブ電極接続用バスバー１１１の各圧接端子１１１ａがハウジング１２０の外部に露出されるために、２箇所に形成されたバルブ接続用開口部１２０ｄと、三つの固定端子用バスバー１０の各圧接端子１０ｅがハウジング１２０の外部に露出されるための固定端子用開口部１２０ｅと、各バルブ電極接続用バスバー１１１および各固定端子用バスバー１０が各固定用突出刃１０ｅ，１１１ｂを挿通させて底壁１２０ａに固定されるための固定用孔１２０ｆが形成されている。
【００３７】
レンズ１３０は、外形矩形状の光透過性の板状部材からなり、ハウジング１２０の上部開口部１２０ｃを覆うように形成さてなる。このレンズ１３０は、ハウジング１２０の上部に取り付けられることによって、ハウジング収容部１２１に収容されたバルブ１１０およびスイッチモジュール１を保護するとともに、バルブ１１０から発せられるは光をハウジング１２０の外部に出射させるものである。
また、レンズ１３０には、操作部３０が挿通されるスイッチ開口部１３１が形成されている。
【００３８】
次に、コネクタ部１４０について説明する。
コネクタ部１４０は、照明ユニット１００が外部との電気的接続を可能とするためのコネクタとして機能するものである。このコネクタ部１４０は、３つの雄端子１５０（以下、第一の雄端子１５１、第二の雄端子１５２、第三の雄端子１５３という。）と、各雄端子１５０が保持固定される角筒状のボックス部１６０とを有してなる。
【００３９】
各雄型端子１５０は、不図示の雌型端子を介して外部との導通を可能とする棒状端子部１５０ａと、電線Ｗが接続される圧接端子部１５０ｂとを有してなる。
第一の雄端子１５１は、棒状端子部１５０ａを介して外部電源に接続され、電線Ｗを介して第二のバルブ電極接続用バスバー１１３に接続されている。
第二の雄端子１５２は、棒状端子部１５０ａを介して電気的導通が遮断され、電線Ｗを介して第一の固定電極用バスバー１１に接続されている。
第三の雄端子１５３は、棒状端子部１５０ａを介して接地され、電線Ｗを介して第三の固定端子用バスバー１３に接続されている。
【００４０】
このような照明ユニット１００では、図１２に示すような、スイッチング回路が形成されている。このため、図１３に示すように、操作者によって、操作部３０がスライド操作されることによって、照明が点灯状態、あるいは消灯状態に切替えられる。より具体的には、可動端子５０が、第一の固定端子１１ａと、第二の固定端子１２ａとを接続することによって、照明が消灯状態となり、可動端子５０が第二の固定端子１２ａと、第三の固定端子１３ａとを接続することによって、照明が点灯状態となる。
【００４１】
次に、図１４−図１９を用いて端子保持可動部４０が可動端子５０を揺動させるものに用いられる場合のスイッチモジュール２を含む照明ユニット２００について説明する。図１４は、端子保持可動部４０が可動端子５０を揺動させるものに用いられる場合のスイッチモジュール２を含む照明ユニット２００の上面図である。図１５は、図１４に示した照明ユニット２００のＢ−Ｂ線断面図である。図１６は、図１４に示した照明ユニット２００のＣ−Ｃ線断面図である。図１７は、図１６に示した照明ユニット２００のＤ−Ｄ線断面図である。図１８は、図１７に示した可動部６０および固定端子用バスバー１０の拡大斜視図である。図１９は、操作者によって、可動部６０が揺動操作されることを説明するための図である。
なお、操作部３０に代わって操作部７０を有してなる可動部６０およびハウジング１７０は上述した構成と異なるが、その他の構成については上述した構成と同様である。このため、上述した構成と同様な構成についてはその説明を省略する。
【００４２】
操作部７０は、図１８に示すように、可動端子５０を揺動させるための操作部であり、略角柱状の柱状基部７１を有してなる。
柱状基部７１は、上部がレンズ部１３０のスイッチ開口部１３１から外部に露出され、操作者が摘まんで操作する摘まみ操作部として機能する。また、柱状基部６１の下部は、上述した柱状基部３１と同様に端子保持可動部４０の上部と嵌合される嵌合部３１ａとなっている。
【００４３】
次に、ハウジング１７０について説明する。
ハウジング１７０は、絶縁性の材料からなる容器であり内部に形成されたハウジング収容部１７１に、バルブ１１０、およびスイッチモジュール２が収容されるようになっている。
ハウジング収容部１７１には、図１６に示すように、内部を仕切るように一対のガイド壁部１７２が設けられている。この一対のガイド壁部１７２は、その間に可動部６０が配置できるように間隔を空けて向かい合って設けられ、可動部６０の揺動をガイドする機能を有するとともに、位置決め機能を有するようになっている。すなわち、一対のガイド壁部１７２の各ガイド壁部１７２には、互いに向かい合う位置に棒状被支持部４２を揺動可能に支持する揺動支持部１７３が形成されている。
【００４４】
このようなスイッチモジュール２は、図１９に示すように、作業者が操作部７０によって可動端子５０を揺動させることによって、可動端子５０によって接続される隣り合う固定端子１０ａが切り替えられるようになっている。
【００４５】
上述したスイッチモジュール１，２は、端子保持可動部４０が、可動端子５０をスライドさせることで水平方向に並設された固定端子１０ａの接続を切り替えるものと、可動端子５０を揺動させることで、水平方向に並設された固定端子１０ａの接続を切り替えるものとに用いることができるようになっている。しかも、球体４６によって位置決めがなされるようになっているので、ハウジング１２０，１７０のガイド壁部１２２，１７２に摺接されながらのスライド移動、および揺動が滑らかに行われるようになっている。
【００４６】
本発明の実施例に係るスイッチモジュール１，２は、摺動または揺動可能に支持される曲面形状部４２ｂが形成された棒状をなし、板状をなす板状基部４１の両表面４１ａから、略一直線上に並ぶように互いに逆方向に向けて突設され、ハウジング１２０，１７０によってスライド可能に支持され、あるいは揺動可能に支持される棒状被支持部４２と、板状基部４１の上部４１ｂに設けられ、操作部３０，７０が着脱自在に取り付けされる取付部４３と、板状基部４１の下部４１ｃに設けられ、可動端子５０が保持される端子保持部４４とを有してなる端子保持可動部４０を有してなるので、可動端子５０をスライドさせることで水平方向に並設された固定端子１０ａの接続を切り替えるものと、可動端子５０を揺動させることで、水平方向に並設された固定端子１０ａの接続を切り替えるものとに端子保持可動部４０を用いることによって、端子保持可動部４０および固定端子１０ａを共通部品として用いることができるので、結果的に部品の共通化によるコスト削減を行うことができる。
【００４７】
また、本発明の実施例に係るスイッチモジュール１，２は、可動端子５０が固定端子１０ａと接続される接続面５１ａが形成されてなる板状の板状部５１を有してなり、端子保持部４４が略箱型形状をなし、水平方向かつ固定端子１０ａの並び方向に直交する方向で向かい合う壁４４ａ，４４ｂのうち固定端子１０ａに近い側の壁４４ａに接続面５１ａが露出された状態で可動端子５０が保持され、固定端子１０ａに遠い側の壁４４ｂに球体４６が出没可能な開口４４ｃが形成され、接続面５１ａの裏面から開口４４ｃに向けて、スプリングバネ４５および球体４６が順に配置されているので、球体４６が位置決め凹部１２２ｃに嵌ることによって、可動端子５０が固定端子１０ａとの接続位置で確実に位置決めされるようになっている。しかも、球体４６が位置決め凹部１２２ｃに位置されると、凹部に嵌るように突出されるので、スイッチの切り替えフィーリングを得ることができる。
【００４８】
また、本発明の実施例に係るスイッチモジュール１は、操作部３０がハウジング１２０によってスライド可能に支持されるので、端子保持可動部４０をスライド方向により安定して移動させることができる。
【００４９】
また、本発明の実施例に係るスイッチモジュール１，２は、固定端子１０ａが、可動端子５０に接続される接続面１０ｂの縁周りが滑らかな曲面形状に形成されつつ膨らみ出る形状に形成されているので、可動端子５０がスライド移動あるいは揺動される際、可動端子５０と固定端子１０ａとを滑らかに当接させることができる。
【００５０】
なお、本発明の実施例に係るスイッチモジュール１，２は、棒状被支持部４２が円柱状をなすものを例示したが、これに限らない。すなわち、棒状被支持部４２が、ハウジング１２０，１７０によって摺動または揺動可能に支持されるようになっていれば、その他の形状であっても構わない。例えば、図２０に示すように、棒状被支持部４２の少なくとも下部４２ａに曲面形状部４２ｂが形成されていればよい。
【００５１】
また、本発明の実施例に係るスイッチモジュール１，２は、棒状被支持部４２が板状基部４１の両表面４１ａから、略一直線上に並ぶように互いに逆方向に向けて突設されるものを例示したが、これに限らない。棒状被支持部４２は、図２１に示すように、板状基部４１に直交するように板状基部４１に貫通されるようにしてもよい。この場合、板状基部４１には、棒状被支持部４２が挿通される挿通孔４２が形成される。この場合、棒状被支持部４２は板状基部４１の両表面４１ａからのそれぞれの突出長さの比率を容易に調整することができ、結果的に部品の共通化率をより高めることができる。
【００５２】
また、本発明の実施例に係るスイッチモジュール１，２は、照明ユニット１００に含まれるものを例示したが、これに限らず、少なくとも下部４２ａに揺動可能に支持される曲面形状部４２ｂが形成されてなり、板状をなす板状基部４１の両表面４１ａから、略一直線上に並ぶように互いに逆方向に向けて突設され、可動端子５０が移動される際、ハウジング１２０によってスライド可能に支持され、あるいは揺動可能に支持される一対の棒状被支持部４２と、板状基部４１の上部に設けられ操作部３０，７０が着脱自在に取り付けされる取付部４３と、板状基部４１の下部に設けられ、可動端子５０が保持される端子保持部４４とを有してなる端子保持可動部４０を有してなるものであれば、その他のものに含まれるものであってもよい。
【００５３】
また、本発明の実施例に係るスイッチモジュール１，２は、３つの固定端子１０ａを有してなるものを例示したが、固定端子１０ａの数はこれに限らず、操作部３０，７０による移動操作によって隣り合う固定端子１０ａを可動端子５０によって接続させることができればよい。すなわち、固定端子１０ａの数は２以上であればよい。
【００５４】
また、本発明の実施例に係るスイッチモジュール１，２は、ガイド開口部１２２ａがスライド方向を長手方向とする長方形状の開口であり、上下方向の幅が棒状被支持部４２の直径よりも僅かに大きく設定されているものを例示したが、これに限らない。すなわち、棒状被支持部４２がハウジング１２０によってスライド可能に支持されるようになっていればよい。この実施例に示したように操作部３０がハウジング１２０によってスライド可能に支持される場合、ガイド開口部１２２ａの大きさは棒状被支持部４２がハウジング１２０に干渉しないような大きさに設定すればよい。
【００５５】
以上、本発明者によってなされた発明を、上述した発明の実施例に基づき具体的に説明したが、本発明は、上述した実施例に限定されるものではなく、その要旨を逸脱しない範囲において種々変更可能である。
【符号の説明】
【００５６】
１、２      スイッチモジュール
１０        固定端子用バスバー
１０ａ      固定端子
１０ｂ      接続面
１０ｅ      圧接端子
１０ｆ      固定用突出刃
１１        第一の固定端子用バスバー
１１ａ      第一の固定端子
１２        第二の固定端子用バスバー
１２ａ      第二の固定端子
１３        第三の固定端子用バスバー
１３ａ      第三の固定端子
２０、６０  可動部
３０、７０  操作部
３１、７１  柱状基部
３１ａ      嵌合部
３１ｂ      側部外周
３２        カバー部
３２ａ      下端縁面
４０        端子保持可動部
４１        板状基部
４１ａ      表面
４１ｂ      上部
４１ｃ      下部
４２        棒状被支持部
４２ａ      下部
４２ｂ      曲面形状部
４２ｃ      挿通孔
４３        取付部
４４        端子保持部
４４ａ、４４ｂ  壁
４４ｃ      開口
４５        スプリングバネ
４６        球体
５０        可動端子
５１        板状部
５１ａ      接続面
１００，２００  照明ユニット
１１０      バルブ
１１１      バルブ電極接続用バスバー
１１１ａ    圧接端子
１１１ｂ    固定用突出刃
１１２      第一のバルブ電極接続用バスバー
１１３      第二のバルブ電極接続用バスバー
１２０、１７０  ハウジング
１２０ａ    底壁
１２０ｂ    周側壁
１２０ｃ    上部開口部
１２０ｄ    バルブ接続用開口部
１２０ｅ    固定端子用開口部
１２０ｆ    固定用孔
１２１、１７１  ハウジング収容部
１２２、１７２  ガイド壁部
１２２ａ    ガイド開口部
１２２ｃ    位置決め凹部
１３０      レンズ
１３１      スイッチ開口部
１４０      コネクタ部
１５０      雄端子
１５０ａ    棒状端子部
１５０ｂ    圧接端子部
１５１      第一の雄端子
１５２      第二の雄端子
１５３      第三の雄端子
１６０      ボックス部
１７３      揺動支持部
【図１】
2013101824.tif 000003
【図２】
2013101824.tif 000004
【図３】
2013101824.tif 000005
【図４】
2013101824.tif 000006
【図５】
2013101824.tif 000007
【図６】
2013101824.tif 000008
【図７】
2013101824.tif 000009
【図８】
2013101824.tif 000010
【図９】
2013101824.tif 000011
【図１０】
2013101824.tif 000012
【図１１】
2013101824.tif 000013
【図１２】
2013101824.tif 000014
【図１３】
2013101824.tif 000015
【図１４】
2013101824.tif 000016
【図１５】
2013101824.tif 000017
【図１６】
2013101824.tif 000018
【図１７】
2013101824.tif 000019
【図１８】
2013101824.tif 000020
【図１９】
2013101824.tif 000021
【図２０】
2013101824.tif 000022
【図２１】
2013101824.tif 000023